(57)【要約】【課題】電子棚札の消費電力を削減することを可能にすると共に、予定外のデータ更新にも対応できるようにする。【解決手段】電源制御部６４は、Ｗａｋｅｕｐ信号受信部６３の電源を間欠的にＯＮ／ＯＦＦにする。Ｗａｋｅｕｐ信号受信部６３の電源がＯＮである期間にＷａｋｅｕｐ信号受信部６３が電子棚札基地局からＷａｋｅｕｐ信号を受信した時に、電子棚札は、電子棚札基地局に更新データを要求し、これに応じて電子棚札基地局から送られてきた更新データを受信し、メモリ部６６に格納する。【選択図】図７
2010227351.tif 000002
【特許請求の範囲】
【請求項１】
電子棚札サーバと電子棚札基地局と１以上の電子棚札を備える電子棚札システムにおいて、
前記電子棚札サーバは、
商品データが更新された時に、更新モードとして、個別更新モード、マルチ更新モード又は全数更新モードを選択する手段と、
前記個別更新モードが選択された場合に、更新された商品データに対応する１つの電子棚札を識別するための電子棚札識別情報を電子棚札データ部から取得し、取得した電子棚札識別情報と更新された商品データとを個別モードで送信する手段と、
前記マルチ更新モードが選択された場合に、更新された商品データに対応する複数の電子棚札を個々に識別するための電子棚札識別情報を電子棚札データ部から取得し、取得した電子棚札識別情報と更新された商品データとをマルチモードで送信する手段と、
前記全数更新モードが選択された場合に、更新された商品データを全数モードで送信する手段と、
を備え、
前記電子棚札基地局は、
前記電子棚札サーバから更新された商品データなどが送信されてきた時に、送信モードが前記個別モードであるのか、前記マルチモードであるのか前記全数モードであるのかを判断する手段と、
前記送信モードが前記個別モードである場合に、送信されてきた電子棚札識別情報に記述されている１つの電子棚札宛にユニキャストＷａｋｅｕｐ信号を発信し、その電子棚札から更新データ要求を受信した時に、その電子棚札に更新データを送信する手段と、
前記送信モードが前記マルチモードである場合に、全ての電子棚札宛にブロードキャストＷａｋｅｕｐ信号を発信し、全ての電子棚札宛に前記マルチモードで送信されてきた、複数の電子棚札についての識別情報を含むマルチキャスト更新有無確認データパケットを送信し、それらの電子棚札から更新データ要求を受信した時に、それらの電子棚札に更新データを送信する手段と、
前記送信モードが前記全数モードである場合に、全ての電子棚札宛にブロードキャストＷａｋｅｕｐ信号を発信し、全ての電子棚札宛に前記マルチモードで送信されてきた、全ての電子棚札についての識別情報を含むマルチキャスト更新有無確認データパケットを送信し、それらの電子棚札から更新データ要求を受信した時に、それらの電子棚札に更新データを送信する手段と、
を備え、
前記電子棚札は、
Ｗａｋｅｕｐ信号受信部を間欠的にＯＮ／ＯＦＦさせる手段と、
前記Ｗａｋｅｕｐ信号受信部がＯＮである間に、Ｗａｋｅｕｐ信号を受信した時に、そのＷａｋｅｕｐ信号がユニキャストＷａｋｅｕｐ信号であるのか、ブロードキャストＷａｋｅｕｐ信号であるのかを判断する手段と、
前記Ｗａｋｅｕｐ信号が前記ユニキャストＷａｋｅｕｐ信号である場合に、当該電子棚札をＡｗａｋｅ状態にし、前記電子棚札基地局に前記更新データ要求を送信し、それに応じて、前記電子棚札基地局から更新データが送信されてきた時に、その更新データをメモリ部に保存する手段と、
前記Ｗａｋｅｕｐ信号が前記ブロードキャストＷａｋｅｕｐ信号である場合に、当該電子棚札をＡｗａｋｅ状態にし、マルチキャスト更新有無確認データパケットを受信したならば、そのマルチキャスト更新有無確認データパケットに自電子棚札の識別情報が含まれているか否かを判断し、含まれている場合には前記電子棚札基地局に前記更新データ要求を送信し、それに応じて、前記電子棚札基地局から更新データが送信されてきた時に、その更新データをメモリ部に保存する手段と、
を備えることを特徴とする電子棚札システム。
【請求項２】
電子棚札サーバと電子棚札基地局と１以上の電子棚札を備える電子棚札システムにおける電子棚札表示変更方法において、
前記電子棚札サーバが、商品データが更新された時に、更新モードとして、個別更新モード、マルチ更新モード又は全数更新モードを選択するステップと、
前記電子棚札サーバが、前記個別更新モードが選択された場合に、更新された商品データに対応する１つの電子棚札を識別するための電子棚札識別情報を電子棚札データ部から取得し、取得した電子棚札識別情報と更新された商品データを個別モードで送信するステップと、
前記電子棚札サーバが、前記マルチ更新モードが選択された場合に、更新された商品データに対応する複数の電子棚札を個々に識別するための電子棚札識別情報を電子棚札データ部から取得し、取得した電子棚札識別情報と更新された商品データをマルチモードで送信するステップと、
前記電子棚札サーバが、前記全数更新モードが選択された場合に、全ての電子棚札宛に更新された商品データを全数モードで送信するステップと、
前記電子棚札基地局が、前記電子棚札サーバから更新された商品データなどが送信されてきた時に、送信モードが前記個別モードであるのか、前記マルチモードであるのか前記全数モードであるのかを判断するステップと、
前記電子棚札基地局が、前記送信モードが前記個別モードである場合に、送信されてきた電子棚札識別情報に記述されている１つの電子棚札宛にユニキャストＷａｋｅｕｐ信号を発信し、その電子棚札から更新データ要求を受信した時に、その電子棚札に更新データを送信するステップと、
前記電子棚札基地局が、前記送信モードが前記マルチモードである場合に、全ての電子棚札宛にブロードキャストＷａｋｅｕｐ信号を発信し、全ての電子棚札宛に前記マルチモードで送信されてきた、複数の電子棚札についての識別情報を含むマルチキャスト更新有無確認データパケットを送信し、それらの電子棚札から更新データ要求を受信した時に、それらの電子棚札に更新データを送信するステップと、
前記電子棚札基地局が、前記送信モードが前記全数モードである場合に、全ての電子棚札宛にブロードキャストＷａｋｅｕｐ信号を発信し、全ての電子棚札宛に前記マルチモードで送信されてきた、全ての電子棚札についての識別情報を含むマルチキャスト更新有無確認データパケットを送信し、それらの電子棚札から更新データ要求を受信した時に、それらの電子棚札に更新データを送信するステップと、
前記電子棚札が、Ｗａｋｅｕｐ信号受信部を間欠的にＯＮ／ＯＦＦさせるステップと、
前記Ｗａｋｅｕｐ信号受信部がＯＮである間に、前記Ｗａｋｅｕｐ信号受信部がＷａｋｅｕｐ信号を受信した時に、そのＷａｋｅｕｐ信号がユニキャストＷａｋｅｕｐ信号であるのか、ブロードキャストＷａｋｅｕｐ信号であるのかを判断するステップと、
前記電子棚札が、前記Ｗａｋｅｕｐ信号が前記ユニキャストＷａｋｅｕｐ信号である場合に、当該電子棚札をＡｗａｋｅ状態にし、前記電子棚札基地局に前記更新データ要求を送信し、それに応じて、前記電子棚札基地局から更新データが送信されてきた時に、その更新データをメモリ部に保存するステップと、
前記電子棚札が、前記Ｗａｋｅｕｐ信号が前記ブロードキャストＷａｋｅｕｐ信号である場合に、当該電子棚札をＡｗａｋｅ状態にし、マルチキャスト更新有無確認データパケットを受信したならば、そのマルチキャスト更新有無確認データパケットに自電子棚札の識別情報が含まれているか否かを判断し、含まれている場合には前記電子棚札基地局に前記更新データ要求を送信し、それに応じて、前記電子棚札基地局から更新データが送信されてきた時に、その更新データをメモリ部に保存するステップと、
を備えることを特徴とする電子棚札表示変更方法。
【請求項３】
商品データが更新された時に、更新モードとして、個別更新モード、マルチ更新モード又は全数更新モードを選択する手段と、
前記個別更新モードが選択された場合に、更新された商品データに対応する１つの電子棚札を識別するための電子棚札識別情報を電子棚札データ部から取得し、取得した電子棚札識別情報と更新された商品データとを個別モードで送信する手段と、
前記マルチ更新モードが選択された場合に、更新された商品データに対応する複数の電子棚札を個々に識別するための電子棚札識別情報を電子棚札データ部から取得し、取得した電子棚札識別情報と更新された商品データとをマルチモードで送信する手段と、
前記全数更新モードが選択された場合に、更新された商品データを全数モードで送信する手段と、
を備えることを特徴とする電子棚札サーバ。
【請求項４】
電子棚札サーバから更新された商品データなどが送信されてきた時に、送信モードが前記個別モードであるのか、前記マルチモードであるのか前記全数モードであるのかを判断する手段と、
前記送信モードが前記個別モードである場合に、送信されてきた電子棚札識別情報に記述されている１つの電子棚札宛にユニキャストＷａｋｅｕｐ信号を発信し、その電子棚札から更新データ要求を受信した時に、その電子棚札に更新データを送信する手段と、
前記送信モードが前記マルチモードである場合に、全ての電子棚札宛にブロードキャストＷａｋｅｕｐ信号を発信し、全ての電子棚札宛に前記マルチモードで送信されてきた、複数の電子棚札についての識別情報を含むマルチキャスト更新有無確認データパケットを送信し、それらの電子棚札から更新データ要求を受信した時に、それらの電子棚札に更新データを送信する手段と、
前記送信モードが前記全数モードである場合に、全ての電子棚札宛にブロードキャストＷａｋｅｕｐ信号を発信し、全ての電子棚札宛に前記マルチモードで送信されてきた、全ての電子棚札についての識別情報を含むマルチキャスト更新有無確認データパケットを送信し、それらの電子棚札から更新データ要求を受信した時に、それらの電子棚札に更新データを送信する手段と、
を備えることを特徴とする電子棚札基地局。
【請求項５】
Ｗａｋｅｕｐ信号受信部を間欠的にＯＮ／ＯＦＦさせる手段と、
前記Ｗａｋｅｕｐ信号受信部がＯＮである間に、Ｗａｋｅｕｐ信号を受信した時に、そのＷａｋｅｕｐ信号がユニキャストＷａｋｅｕｐ信号であるのか、ブロードキャストＷａｋｅｕｐ信号であるのかを判断する手段と、
前記Ｗａｋｅｕｐ信号が前記ユニキャストＷａｋｅｕｐ信号である場合に、当該電子棚札をＡｗａｋｅ状態にし、前記電子棚札基地局に前記更新データ要求を送信し、それに応じて、前記電子棚札基地局から更新データが送信されてきた時に、その更新データをメモリ部に保存する手段と、
前記Ｗａｋｅｕｐ信号が前記ブロードキャストＷａｋｅｕｐ信号である場合に、当該電子棚札をＡｗａｋｅ状態にし、マルチキャスト更新有無確認データパケットを受信したならば、そのマルチキャスト更新有無確認データパケットに自電子棚札の識別情報が含まれているか否かを判断し、含まれている場合には前記電子棚札基地局に前記更新データ要求を送信し、それに応じて、前記電子棚札基地局から更新データが送信されてきた時に、その更新データをメモリ部に保存する手段と、
を備えることを特徴とする電子棚札。
【発明の詳細な説明】
【技術分野】
【０００１】
本発明は、無線通信を使用する電子棚札システム及び電子棚札表示変更方法に関する。
【背景技術】
【０００２】
従来から、無線通信を使用する電子棚札システムとして、電子棚札（以下、「ＥＳＬ(electronic shelf label)」という。）の商品情報や価格情報の表示を変更するに当たって、ＥＳＬは、ＥＳＬを制御する電子棚札サーバ（以下、「ＥＳＬサーバ」という。）とデータの送受信を行う。その際、ＥＳＬの消費電力を抑えるための代表的な方法として、以下のような方式が採用されている。
【０００３】
（１）ＥＳＬを定期的にＯＮ／ＯＦＦさせ、ＥＳＬがＯＮのときに、ＥＳＬがＥＳＬサーバからのデータを受信し、そのデータが自ＥＳＬ宛の場合のみそのデータを取り込んで、そのデータに基づいて、表示内容を変更するパッシブ型通信方式。
【０００４】
（２）ＥＳＬを定期的にＯＮ／ＯＦＦさせ、ＥＳＬがＯＮのときにＥＳＬがＥＳＬサーバへデータ更新の有無を確認するデータ要求パケットを送信し、データ更新ありの場合、ＥＳＬサーバは該当のＥＳＬへデータを送信し、該当のＥＳＬがそのデータを受信し、データを取り込んで、そのデータに基づいて、表示内容を変更するアクティブ型通信方式。
【０００５】
（３）ＥＳＬに時計を入れ、ＥＳＬサーバからＥＳＬへのデータにそのデータを更新する時刻を入れ、ＥＳＬはその指定された時刻になった時点でデータを更新する（表示内容を更新する）ことで、無駄な通信を省き、消費電力を抑える更新時刻指定型通信方式。
【０００６】
ここで、通常のＥＳＬの表示を変更する電子棚札システムの標準的な構成の一例を、図１〜図４を用いて説明する。
【０００７】
図１に示す電子棚札システムは、ＥＳＬサーバ１と、ＥＳＬ３（ＥＳＬ＃１〜ＥＳＬ＃５）と、ＥＳＬサーバ１とＥＳＬ３とのデータ通信を中継するＥＳＬ基地局２と、ＥＳＬサーバ１とＥＳＬ基地局２との通信ネットワーク４とを含む。
【０００８】
図２は図１のＥＳＬサーバ１の構成の一例を示す。図２を参照すると、ＥＳＬサーバ１は、電子棚札システムの状態管理を行うＥＳＬ管理部１１と、ＥＳＬ３へ送信するデータを保存するＥＳＬデータ部１２と、ＥＳＬ基地局２を経由してＥＳＬ３と通信を行う通信制御部１３と、時計１４と、商品データの管理を行う商品管理部１５と、商品データを格納する商品データ部１６と、通信制御部１３を介してＥＳＬを制御するＥＳＬ制御部１７とを含む。
【０００９】
図３は図１のＥＳＬ基地局２の構成の一例を示す。図３を参照すると、ＥＳＬ基地局２は、ＥＳＬサーバ１と通信を行う通信制御部２１と、ＥＳＬ３の状態管理を行うＥＳＬ制御部２２と、ＥＳＬ３の状態を保存するＥＳＬ管理テーブル２３と、ＥＳＬ３と無線通信を行う無線通信制御部２４とを含む。
【００１０】
図４は図１のＥＳＬ３の構成の一例を示す。図４を参照すると、ＥＳＬ基地局２と無線通信を行う無線通信制御部３１と、ＥＳＬ３の動作を制御するＥＳＬ制御部３２と、ＥＳＬ３の状態や表示データを保存するメモリ部３３と、電源のＯＮ／ＯＦＦ制御を行う電源制御部３４と、表示を行う表示部３５と、時計３６とを含む。
【００１１】
消費電力を抑えるための代表的な方式としての（１）のパッシブ型通信方式では、電源制御部３４が定期的にＥＳＬ制御部３２と無線通信制御部３１の電源をＯＮにし、無線通信制御部３１は、内部の受信部を動作させ、ＥＳＬ基地局２から自局宛のデータ受信を一定期間待ち、自局宛のデータがあれば動作を継続し、データがなければ電源制御部３４によってＥＳＬ制御部３２と無線通信制御部３１の電源をＯＦＦにする間欠受信を行うことで、電力消費を抑えている。
【００１２】
消費電力を抑えるための代表的な方式としての（２）のアクティブ型通信方式では、電源制御部３４が定期的にＥＳＬ制御部３２と無線通信制御部３１の電源をＯＮにし、無線通信制御部３１は、内部の送信部を動作させ、ＥＳＬ基地局２へ自局宛のデータの有無を確認するためのデータ要求パケットを送信し、ＥＳＬ基地局２では、該ＥＳＬ３へのデータがあれば、データがあることを告げて通信を継続させるが、データがなければないことを告げる。ＥＳＬ３ではデータがなければ電源制御部３４によってＥＳＬ制御部３２と無線通信制御部３１の電源をＯＦＦにすることで、電力消費を抑えている。
【００１３】
消費電力を抑えるための代表的な方式としての（３）の更新時間指定型通信方式では、上述の（１）または（２）の方式により無線通信部３１がデータを受信し、データ内で指定されている時刻まで電源をＯＦＦ状態にし、その時刻になると電源をＯＮにし、表示内容を更新することで、余計な通信を省き、電力の消費を抑えている。
【００１４】
（１）、（２）の両方式ともに、ＥＳＬ基地局２と無線通信を行うために無線通信制御部３１、ＥＳＬ制御部３２を動作させる必要があり、データの有無を確認するための電力消費が大きい。また、電源ＯＮ／ＯＦＦする間隔を長くすると消費電力は抑えられるが、ＥＳＬサーバ１とＥＳＬ３との通信に時間がかかり（例えば、ＥＳＬの表示内容を更新する場合、ＥＳＬサーバ２で表示更新を実行しても、ＥＳＬ３の表示が更新されるまでに時間がかかる）、リアルタイム性が損なわれる。電源ＯＮ／ＯＦＦの間隔を短くするとリアルタイム性は向上するが、消費電力が大きくなり、バッテリーの寿命が短くなる。
【００１５】
また、（３）の方式は事前に予定されたデータの更新では効果があるが、予定外のデータ更新には対応できない。
【先行技術文献】
【特許文献】
【００１６】
【特許文献１】特開２００１−２６６２５２号公報
【特許文献２】特開２００５−２５８５２２号公報
【特許文献３】特開２００７−０４８１４０号公報
【特許文献４】特開２００７−２４４７９５号公報
【特許文献５】特開２００８−０１１９７２号公報
【特許文献６】特開２００８−０７３０８１号公報
【発明の概要】
【発明が解決しようとする課題】
【００１７】
消費電力を抑える従来からの代表的な方式である（１）のパッシブ型通信方式と（２）のアクティブ型通信方式は、消費電力を抑えると通信のリアルタイム性が損なわれ、リアルタイム性を向上させると消費電力が大きくなりバッテリーの寿命が短くなる問題がある。
【００１８】
また、（３）の更新時間指定型通信方式は、事前に予定されたデータの更新では消費電力を抑える効果があるが、予定外のデータ更新には対応できない問題がある。
【００１９】
そこで、本発明は、ＥＳＬの消費電力を削減することを可能にすると共に、予定外のデータ更新にも対応できる電子棚札システム及び電子棚札表示変更方法を提供することを目的とする。
【課題を解決するための手段】
【００２０】
本発明によれば、電子棚札サーバと電子棚札基地局と１以上の電子棚札を備える電子棚札システムにおいて、前記電子棚札サーバは、商品データが更新された時に、更新モードとして、個別更新モード、マルチ更新モード又は全数更新モードを選択する手段と、前記個別更新モードが選択された場合に、更新された商品データに対応する１つの電子棚札を識別するための電子棚札識別情報を電子棚札データ部から取得し、取得した電子棚札識別情報と更新された商品データとを個別モードで送信する手段と、前記マルチ更新モードが選択された場合に、更新された商品データに対応する複数の電子棚札を個々に識別するための電子棚札識別情報を電子棚札データ部から取得し、取得した電子棚札識別情報と更新された商品データとをマルチモードで送信する手段と、前記全数更新モードが選択された場合に、更新された商品データを全数モードで送信する手段と、を備え、前記電子棚札基地局は、前記電子棚札サーバから更新された商品データなどが送信されてきた時に、送信モードが前記個別モードであるのか、前記マルチモードであるのか前記全数モードであるのかを判断する手段と、前記送信モードが前記個別モードである場合に、送信されてきた電子棚札識別情報に記述されている１つの電子棚札宛にユニキャストＷａｋｅｕｐ信号を発信し、その電子棚札から更新データ要求を受信した時に、その電子棚札に更新データを送信する手段と、前記送信モードが前記マルチモードである場合に、全ての電子棚札宛にブロードキャストＷａｋｅｕｐ信号を発信し、全ての電子棚札宛に前記マルチモードで送信されてきた、複数の電子棚札についての識別情報を含むマルチキャスト更新有無確認データパケットを送信し、それらの電子棚札から更新データ要求を受信した時に、それらの電子棚札に更新データを送信する手段と、前記送信モードが前記全数モードである場合に、全ての電子棚札宛にブロードキャストＷａｋｅｕｐ信号を発信し、全ての電子棚札宛に前記マルチモードで送信されてきた、全ての電子棚札についての識別情報を含むマルチキャスト更新有無確認データパケットを送信し、それらの電子棚札から更新データ要求を受信した時に、それらの電子棚札に更新データを送信する手段と、を備え、前記電子棚札は、Ｗａｋｅｕｐ信号受信部を間欠的にＯＮ／ＯＦＦさせる手段と、前記Ｗａｋｅｕｐ信号受信部がＯＮである間に、Ｗａｋｅｕｐ信号を受信した時に、そのＷａｋｅｕｐ信号がユニキャストＷａｋｅｕｐ信号であるのか、ブロードキャストＷａｋｅｕｐ信号であるのかを判断する手段と、前記Ｗａｋｅｕｐ信号が前記ユニキャストＷａｋｅｕｐ信号である場合に、当該電子棚札をＡｗａｋｅ状態にし、前記電子棚札基地局に前記更新データ要求を送信し、それに応じて、前記電子棚札基地局から更新データが送信されてきた時に、その更新データをメモリ部に保存する手段と、前記Ｗａｋｅｕｐ信号が前記ブロードキャストＷａｋｅｕｐ信号である場合に、当該電子棚札をＡｗａｋｅ状態にし、マルチキャスト更新有無確認データパケットを受信したならば、そのマルチキャスト更新有無確認データパケットに自電子棚札の識別情報が含まれているか否かを判断し、含まれている場合には前記電子棚札基地局に前記更新データ要求を送信し、それに応じて、前記電子棚札基地局から更新データが送信されてきた時に、その更新データをメモリ部に保存する手段と、を備えることを特徴とする電子棚札システムが提供される。
【００２１】
また、本発明によれば、電子棚札サーバと電子棚札基地局と１以上の電子棚札を備える電子棚札システムにおける電子棚札表示変更方法において、前記電子棚札サーバが、商品データが更新された時に、更新モードとして、個別更新モード、マルチ更新モード又は全数更新モードを選択するステップと、前記電子棚札サーバが、前記個別更新モードが選択された場合に、更新された商品データに対応する１つの電子棚札を識別するための電子棚札識別情報を電子棚札データ部から取得し、取得した電子棚札識別情報と更新された商品データを個別モードで送信するステップと、前記電子棚札サーバが、前記マルチ更新モードが選択された場合に、更新された商品データに対応する複数の電子棚札を個々に識別するための電子棚札識別情報を電子棚札データ部から取得し、取得した電子棚札識別情報と更新された商品データをマルチモードで送信するステップと、前記電子棚札サーバが、前記全数更新モードが選択された場合に、全ての電子棚札宛に更新された商品データを全数モードで送信するステップと、前記電子棚札基地局が、前記電子棚札サーバから更新された商品データなどが送信されてきた時に、送信モードが前記個別モードであるのか、前記マルチモードであるのか前記全数モードであるのかを判断するステップと、前記電子棚札基地局が、前記送信モードが前記個別モードである場合に、送信されてきた電子棚札識別情報に記述されている１つの電子棚札宛にユニキャストＷａｋｅｕｐ信号を発信し、その電子棚札から更新データ要求を受信した時に、その電子棚札に更新データを送信するステップと、前記電子棚札基地局が、前記送信モードが前記マルチモードである場合に、全ての電子棚札宛にブロードキャストＷａｋｅｕｐ信号を発信し、全ての電子棚札宛に前記マルチモードで送信されてきた、複数の電子棚札についての識別情報を含むマルチキャスト更新有無確認データパケットを送信し、それらの電子棚札から更新データ要求を受信した時に、それらの電子棚札に更新データを送信するステップと、前記電子棚札基地局が、前記送信モードが前記全数モードである場合に、全ての電子棚札宛にブロードキャストＷａｋｅｕｐ信号を発信し、全ての電子棚札宛に前記マルチモードで送信されてきた、全ての電子棚札についての識別情報を含むマルチキャスト更新有無確認データパケットを送信し、それらの電子棚札から更新データ要求を受信した時に、それらの電子棚札に更新データを送信するステップと、前記電子棚札が、Ｗａｋｅｕｐ信号受信部を間欠的にＯＮ／ＯＦＦさせるステップと、前記Ｗａｋｅｕｐ信号受信部がＯＮである間に、前記Ｗａｋｅｕｐ信号受信部がＷａｋｅｕｐ信号を受信した時に、そのＷａｋｅｕｐ信号がユニキャストＷａｋｅｕｐ信号であるのか、ブロードキャストＷａｋｅｕｐ信号であるのかを判断するステップと、前記電子棚札が、前記Ｗａｋｅｕｐ信号が前記ユニキャストＷａｋｅｕｐ信号である場合に、当該電子棚札をＡｗａｋｅ状態にし、前記電子棚札基地局に前記更新データ要求を送信し、それに応じて、前記電子棚札基地局から更新データが送信されてきた時に、その更新データをメモリ部に保存するステップと、前記電子棚札が、前記Ｗａｋｅｕｐ信号が前記ブロードキャストＷａｋｅｕｐ信号である場合に、当該電子棚札をＡｗａｋｅ状態にし、マルチキャスト更新有無確認データパケットを受信したならば、そのマルチキャスト更新有無確認データパケットに自電子棚札の識別情報が含まれているか否かを判断し、含まれている場合には前記電子棚札基地局に前記更新データ要求を送信し、それに応じて、前記電子棚札基地局から更新データが送信されてきた時に、その更新データをメモリ部に保存するステップと、を備えることを特徴とする電子棚札表示変更方法が提供される。
【発明の効果】
【００２２】
本発明によれば、更新データの有無を確認するために、ＥＳＬ制御部や無線通信制御部などの電力消費が大きい回路の電源をＯＮにせず、非常に低消費電力で動作可能なＷａｋｅｕｐ信号受信部のみの電源ＯＮで更新データの有無を確認することができ、電力消費を最小限に抑えることができる。
【図面の簡単な説明】
【００２３】
【図１】従来の電子棚札システムにおける標準的な構成を示した図である。
【図２】本発明の実施の形態によるＥＳＬサーバの構成を示す概略図である。
【図３】従来の電子棚札システムにおける標準的なＥＳＬ基地局の構成を示した概略図である。
【図４】従来の電子棚札システムにおける標準的なＥＳＬの構成を示した概略図である。
【図５】本発明の実施の形態による電子棚札システムの構成を示す概略図である。
【図６】本発明の実施の形態によるＥＳＬ基地局の構成を示す概略図である。
【図７】本発明の実施の形態によるＥＳＬの構成を示す概略図である。
【図８】本発明の実施の形態によるＥＳＬサーバの動作を示すフローチャートである。
【図９】本発明の形態によるＥＳＬ基地局の動作を示すフローチャートである。
【図１０】本発明の形態によるＥＳＬの動作を示すフローチャートである。
【図１１】本発明の実施の形態によるＷａｋｅｕｐ信号の構成を示す一例である。
【図１２】本発明の実施の形態によるＷａｋｅｕｐ信号送信部とＷａｋｅｕｐ信号受信部の構成を示す一例である。
【図１３】本発明の実施の形態による更新有無確認データパケットのフォーマットの一例を示す図である。
【発明を実施するための形態】
【００２４】
図５は、本発明の実施形態による電子棚札システムの構成を示す概略図である。
【００２５】
図５を参照すると、本発明の実施形態による電子棚札システムは、ＥＳＬサーバ１、ＥＳＬ基地局５及びＥＳＬ６（ＥＳＬ＃１〜ＥＳＬ＃５）を含む。
【００２６】
図２は、本発明の実施形態による電子棚札システムのＥＳＬサーバ２の構成を示す概略図である。
【００２７】
ＥＳＬサーバ２は、電子棚札システムの状態管理を行うＥＳＬ管理部１１と、ＥＳＬ３へ送信するデータを保存するＥＳＬデータ部１２と、ＥＳＬ基地局２を経由してＥＳＬ６と通信を行う通信制御部１３と、時計１４と、商品データの管理を行う商品管理部１５と、商品データを格納する商品データ部１６と、ＥＳＬ制御部１７とを含む。
【００２８】
図６は、本発明の実施形態による電子棚札システムのＥＳＬ基地局５の構成を示す概略図である。
【００２９】
ＥＳＬ基地局５は、ＥＳＬサーバ１と通信を行う通信制御部５１と、ＥＳＬ６の状態管理を行うＥＳＬ制御部５２と、ＥＳＬ６の状態を保存するＥＳＬ管理テーブル５３と、ＥＳＬ６と無線通信を行う無線通信制御部５４と、ＥＳＬ６をＡｗａｋｅ状態にするためにＷａｋｅｕｐ信号を発信するためのＷａｋｅｕｐ信号送信部５５と、タイマー５６を含む。
【００３０】
図７は、本発明に係る電子棚札システムのＥＳＬ６の構成を示す概略図である。
【００３１】
ＥＳＬ６は、ＥＳＬ基地局５と無線通信を行う無線通信制御部６１と、ＥＳＬ６の動作を制御するＥＳＬ制御部６２と、ＥＳＬ基地局５から発信されたＷａｋｅｕｐ信号を受信し、そのＷａｋｅｕｐ信号が自ＥＳＬ６宛であるか否かを解読し、そのＷａｋｅｕｐ信号が自ＥＳＬ宛である場合にＡｗａｋｅ信号を電源制御部６４へ通知するＷａｋｅｕｐ信号受信部６３と、ＥＳＬ６の電源のＯＮ／ＯＦＦ制御を行う電源制御部６４と、ＥＳＬ６のスケジューリングを行うタイマー６５と、ＥＳＬ６の状態や表示データを保存するメモリ部６６と、表示を行う表示部６７とを含む。
【００３２】
図８〜図１０は、本発明の実施形態による電子棚札システムの動作の一例を示すフローチャートである。
【００３３】
図１１は、本発明に係る電子棚札システムのＷａｋｅｕｐ信号の構成を示す一例である。
【００３４】
図１２は、本発明に係る電子棚札システムのＷａｋｅｕｐ信号送信部とＷａｋｅｕｐ信号受信部の構成を示す一例である。
【００３５】
図１３は、本発明に係る電子棚札システムの更新確認有無データのフレームフォーマットの一例である。
【００３６】
図２及び図８を参照すると、まず、商品管理部１５は、商品データ部１６の商品データが更新されるまで待つ（ステップＳ１０１で「無し」）。
【００３７】
商品データが更新されたならば（ステップＳ１０１で「有り」）、１つの商品の商品データが更新されたのか、複数の商品の商品データが更新されたのか、又は、全ての商品データが更新されたのかを商品管理部１５が判断する（ステップＳ１０３、Ｓ１０９）。
【００３８】
１つの商品についての商品データが更新された場合には（ステップＳ１０３で「個別」）、ＥＳＬ管理部１１は、ＥＳＬデータ部１２から更新された商品データに対応する１つのＥＳＬを識別するためのＥＳＬ識別情報を取得する（ステップＳ１０５）。次に、通信制御部１３は、ステップＳ１０５で取得したＥＳＬ識別情報と更新された商品データとを個別モードで送信する（ステップＳ１０７）。
【００３９】
複数の（但し、全数ではない）商品についての商品データが更新された場合には（ステップＳ１０９で「マルチ」）、ＥＳＬ管理部１１は、ＥＳＬデータ部１２から更新された商品データに対応する複数の（但し、全数ではない）ＥＳＬを識別するためのＥＳＬ識別情報を取得する（ステップＳ１１１）。次に、通信制御部１３は、ステップＳ１１１で取得したＥＳＬ識別情報と更新された商品データとをマルチモードで送信する（ステップＳ１１３）。
【００４０】
全ての商品についての商品データが更新された場合には（ステップＳ１０９で「全数」）、通信制御部１３は、全てのＥＳＬ宛に更新された商品データを全数モードで送信する（ステップＳ１１５）。
【００４１】
図３及び図９を参照すると、通信制御部２１は、更新された商品データなどがＥＳＬサーバ１から送られてくるまで待つ（ステップＳ１２１で「無し」）。
【００４２】
通信制御部２１に更新された商品データなどが送られてきたならば（ステップＳ１２１で「有り」）、更新された商品データなどが個別モードで送られてきたのか（ステップＳ１２３で「個別」）、マルチモードで送られてきたのか（ステップＳ１３１で「マルチ」）、又は、全数モードで送られてきたのか（ステップＳ１３１で「全数」）を判断部２６が判断する。
【００４３】
更新された商品データ及びＥＳＬ識別情報が個別モードで送られてきた場合には、無線通信制御部２４は、そのＥＳＬ識別情報に対応する１つのＥＳＬ宛にユニキャストＷａｋｅｕｐ信号を発信し（ステップＳ１２５）、そのＥＳＬから更新データ要求を受信するまで待つ（ステップＳ１２７でＮｏ）。
【００４４】
そのＥＳＬから更新データ要求を受信した時に（ステップＳ１２７でＹｅｓ）、更新された商品データをそのＥＳＬに送信する（ステップＳ１２９）。
【００４５】
更新された商品データ及びＥＳＬ識別情報がマルチモードで送られてきた場合には、無線通信制御部２４は、全てのＥＳＬにブロードキャストＷａｋｅｕｐ信号を発信し（ステップＳ１３３）、次に、送られてきたＥＳＬ識別情報を含む、マルチキャスト更新有無確認データパケットを生成し、ブロードキャストフレームに乗せて全てのＥＳＬに送信する（ステップＳ１３５）。次に、各ＥＳＬから更新データ要求を受信するまで待ち（ステップＳ１３７でＮｏ）、更新データ要求を受信したならば、更新データを送信すること（ステップＳ１３９）を繰り返す。
【００４６】
更新された商品データ及びＥＳＬ識別情報が全数モードで送られてきた場合には、無線通信制御部２４は、全てのＥＳＬにブロードキャストＷａｋｅｕｐ信号を発信し（ステップＳ１４１）、次に、全てのＥＳＬのＥＳＬ識別情報を含むマルチキャスト更新有無確認データパケットを生成し、ブロードキャストフレームに乗せて全てのＥＳＬに送信する（ステップＳ１４３）。次に、各ＥＳＬから更新データ要求を受信するまで待ち（ステップＳ１３７でＮｏ）、更新データ要求を受信したならば、更新データを送信すること（ステップＳ１３９）を繰り返す。
【００４７】
図４及び図１０を参照すると、電源制御部６４は、Ｗａｋｅｕｐ信号受信部６３の電源をＯＮにする（ステップＳ１４１）、Ｗａｋｅｕｐ信号受信部６３の電源がＯＮである間に、無線通信制御部６１がＷａｋｅｕｐ信号を受信しなかった場合には（ステップＳ１４３で「無し」）、電源制御部１６５は、タイマー６５がタイムアップした時に、Ｗａｋｅｕｐ信号受信部６３の電源をＯＦＦにする（ステップＳ１６５）。
【００４８】
Ｗａｋｅｕｐ信号受信部６３の電源がＯＮである間に、無線通信制御部６１がＷａｋｅｕｐ信号を受信した場合には（ステップＳ１４３で「有り」）、そのＷａｋｅｕｐ信号が自局宛ユニキャストＷａｋｅｕｐ信号であるのか否かを判断する（ステップＳ１４５）。そうである場合には（ステップＳ１４５でＹｅｓ）、電源制御部６４は、Ｗａｋｅｕｐ信号受信部６３の電源をＯＦＦにし、ＥＳＬ制御部６２の電源をＯＮにする（ステップＳ１４７）。
【００４９】
次に、ＥＳＬ制御部６２は、無線通信制御部６１を介して、更新データ要求をＥＳＬ基地局５に更新データを要求し（ステップＳ１４９）、それに応じてＥＳＬ基地局５から送信されてきた更新データを受信し（ステップＳ１５１）、その更新データをメモリ部６６に保存する（ステップＳ１５３）。
【００５０】
最後に、ＥＳＬ制御部６２は、電源制御部６４にＳｌｅｅｐ通知し、ＥＳＬはＳｌｅｅｐ状態となる（ステップＳ１５５）。
【００５１】
ステップＳ１４５でＮＯである場合には、受信したＷａｋｅｕｐ信号がブロードキャストＷａｋｅｕｐ信号であるか否かを判断する（ステップＳ１５７）。
【００５２】
そうでない場合には（ステップＳ１５７でＮｏ）、電源制御部６４は、Ｗａｋｅｕｐ信号受信部６３の電源をＯＦＦにする（ステップＳ１６５）。
【００５３】
そうである場合には（ステップＳ１５７でＹｅｓ）、電源制御部６４は、Ｗａｋｅｕｐ信号受信部６３の電源をＯＦＦにし、ＥＳＬ制御部６２の電源をＯＮにする（ステップＳ１５９）。
【００５４】
次に、無線通信制御部６１は、マルチキャスト更新有無確認データパケットを受信し（ステップＳ１６１）、マルチキャスト更新有無確認データパケットに自局の識別子が含まれている場合には（ステップＳ１６３でＹｅｓ）、ステップＳ１４９に進み、そうでない場合には（ステップＳ１６３でＮｏ）、ステップＳ１５５に進む。
【００５５】
図１２の例では、Ｗａｋｅｕｐ信号を周波数変調方式で発信しているが、パルス変調方式や位相変調方式を使用してもよい。
【符号の説明】
【００５６】
１  ＥＳＬサーバ
５ＥＳＬ基地局
６  ＥＳＬ
１１  ＥＳＬ管理部
１２  ＥＳＬデータ部
１３  通信制御部
１４  時計
１５  商品管理部
１６  商品データ部
１７  ＥＳＬ制御部
５１  通信制御部
５２  ＥＳＬ制御部
５３  ＥＳＬ管理テーブル
５４  無線通信制御部
５５  Ｗａｋｅｕｐ信号送信部
５６  タイマー
６１  無線通信制御部
６２  ＥＳＬ制御部
６３  Ｗａｋｅｕｐ信号受信部
６４  電源制御部
６５  タイマー
６６  メモリ部
６７  表示部
【図１】
2010227351.tif 000003
【図２】
2010227351.tif 000004
【図３】
2010227351.tif 000005
【図４】
2010227351.tif 000006
【図５】
2010227351.tif 000007
【図６】
2010227351.tif 000008
【図７】
2010227351.tif 000009
【図８】
2010227351.tif 000010
【図９】
2010227351.tif 000011
【図１０】
2010227351.tif 000012
【図１１】
2010227351.tif 000013
【図１２】
2010227351.tif 000014
【図１３】
2010227351.tif 000015